(57)【特許請求の範囲】
【請求項１】
第１のプリペイド方式で第１のネットワークから利用時間に応じて通信量の即時課金を行う第１のプリペイドシステムと、第２のプリペイド方式で第２のネットワークから利用時間に応じて通信量の即時課金を行う第２のプリペイドシステムとの間で、それぞれのプリペイドの価値情報を相互に利用可能とするプリペイドセンタが行うプリペイド管理方法において、
２つのプリペイドシステムでの価値情報の相互利用登録の時に、
前記第１のプリペイドシステムの第１のプリペイドセンタは、
前記第１のプリペイドシステムのＩＤ（以下、第１のＩＤと記す）を受け取り、
前記第１のＩＤに対応したプリペイドカードを認証し、
前記第２のプリペイドシステムのＩＤ（以下、第２のＩＤと記す）を取得して、該第２のプリペイドシステムの第２のプリペイドセンタに、認証された前記第１のＩＤと該第２のＩＤを組とした登録要求を送信し、
前記第２のプリペイドシステムの前記第２のプリペイドセンタは、
前記第１のプリペイドセンタから前記登録要求に含まれる前記第２のＩＤが当該第２のプリペイドセンタが管理する第２のデータベースに存在し、かつ、該第２のＩＤに対応する残度数が０でないことを確認し、
前記第２のＩＤに対応する利用者に相互利用の問い合わせを行って、相互利用がＯＫであれば、前記第２のデータベースに該第２のＩＤに対応するレコードに前記第１のＩＤを登録し、
前記第１のプリペイドセンタは、
前記第２のプリペイドセンタから「登録ＯＫ」の通知が返却された場合に、当該第１のプリペイドセンタが管理する第１のデータベースの前記第１のＩＤに対応するレコードに前記第２のＩＤを登録し、
前記第１のプリペイドシステム、あるいは、前記第２のプリペイドシステムを利用する時、
通信を行うプリペイドシステムのプリペイドセンタ（以下、第ｘのプリペイドセンタと記す）は、
接続前に、前記通信を行うプリペイドシステムのＩＤ（以下、第ｘのＩＤと記す）を受け取り、
通信中に、前記第ｘのＩＤ対応の残度数を減算すると共に、残度数が０になったとき、該第ｘのＩＤ対応に登録されている相互利用可能なプリペイドシステムのＩＤ（以下、第ｙのＩＤと記す）を読み出して、該第ｘのＩＤと該第ｙのＩＤを用いて相互利用が可能なプリペイドシステムのプリペイドセンタ（以下、第ｙのプリペイドセンタ）に問い合わせを行い、
前記第ｙのプリペイドセンタでは、前記第ｙのＩＤで当該第ｙのプリペイドセンタが管理するデータベースの検索を行い、該データベースに存在する第ｙのＩＤに対応する前記第ｘのＩＤが登録されており、該第ｙのＩＤに対応する残度数が０でなければ、「利用ＯＫ」の通知を前記第ｘのプリペイドセンタに送信し、
前記第ｘのプリペイドセンタでは、
それ以降の通信料の課金タイミング時に、収納指示を前記第ｙのプリペイドセンタに対して送信し、
前記第ｙのプリペイドセンタでは、残度数が０であれば収納結果として、「収納不可」の通知を前記第ｘのプリペイドセンタに送信し、残度数が残っていれば残度数を減算すると共に、収納結果を前記第ｘのプリペイドセンタに送信し、
前記第ｘのプリペイドセンタでは、前記第ｙのプリペイドセンタから「収納不可」の通知を取得した場合には、ネットワークに対して通信の切断を指示する
ことを特徴とするプリペイド管理方法。
【請求項２】
第１のプリペイド方式で第１のネットワークから利用時間に応じて通信量の即時課金を行う第１のプリペイドシステムと、第２のプリペイド方式で第２のネットワークから利用時間に応じて通信量の即時課金を行う第２のプリペイドシステムと、該第１のプリペイドシステムのＩＤ（以下、第１のＩＤと記す）と該第２のプリペイドシステムのＩＤ（以下、第２のＩＤと記す）を対応させて管理する共用データベースを有するプリペイド共用センタのとの間で、それぞれのプリペイドの価値情報を相互に利用可能とするプリペイドセンタが行うプリペイド管理方法において、
プリペイドシステムでの価値情報の相互利用登録の時に、
前記第１のプリペイドシステムの第１のプリペイドセンタは、
前記第１のプリペイドシステムの第１のＩＤを受け取り、
前記第１のＩＤに対応したプリペイドカードを認証し、
前記第２のプリペイドシステムのＩＤ（以下、第２のＩＤと記す）を取得して、前記プリペイド共用センタに、認証された前記第１のＩＤと該第２のＩＤを組とした登録要求を送信し、
前記プリペイド共用センタは、
前記第１のプリペイドセンタから前記登録要求に含まれる前記第２のＩＤが、前記共用データベースに存在するかを判定し、存在しない場合には、該第２のＩＤの検証を前記第２のプリペイドセンタに要求し、
前記第２のプリペイドセンタは、
前記第２のＩＤに基づいて、当該第２のプリペイドセンタが管理する第２のデータベースを検索し、該第２のＩＤに対応する残度数が０でないことを確認し、前記プリペイド共用センタに「第２のＩＤチェックＯＫ」を送信し、
前記プリペイド共用センタは、
前記第２のＩＤと前記第１のＩＤの組を、前記共用データベースに登録し、前記第１のプリペイドセンタに「登録ＯＫ」の通知を送信し、
前記第１のプリペイドセンタは、
前記プリペイド共用センタから前記「登録ＯＫ」の通知が返却された場合に、当該第１のプリペイドセンタが管理する第１のデータベースの前記第１のＩＤに対応するレコードに前記第２のＩＤを登録し、
前記第１のプリペイドシステム、あるいは、前記第２のプリペイドシステムを利用する時、
通信を行うプリペイドシステムのプリペイドセンタ（以下、第ｘのプリペイドセンタと記す）は、
接続前に、通信を行うプリペイドシステムのＩＤ（以下、第ｘのＩＤと記す）を受け取り、
通信中に、前記第ｘのＩＤ対応の残度数を減算すると共に、残度数が０になったとき、該第ｘのＩＤ対応に登録されている相互利用可能なプリペイドシステムのＩＤ（以下、第ｙのＩＤと記す）を読み出して、該第ｘのＩＤと該第ｙのＩＤを用いて前記プリペイド共用センタに問い合わせを行い、
前記プリペイド共用センタでは、
前記第ｘのＩＤに基づいて前記共用データベースを検索し、該第ｘのＩＤに対応する第ｙのＩＤを用いて第ｙのプリペイドセンタに問い合わせ、
前記第ｙのプリペイドセンタでは、
前記第ｙのＩＤで当該第ｙのプリペイドセンタが管理するデータベースの検索を行い、該データベースに存在する第ｙのＩＤに対応する前記第ｘのＩＤが登録されており、該第ｙのＩＤに対応する残度数が０でなければ、「利用ＯＫ」の通知を前記第ｘのプリペイドセンタに送信し、
前記第ｘのプリペイドセンタでは、
それ以降の通信料の課金タイミング時に、収納指示を前記第ｙのプリペイドセンタに対して送信し、
前記第ｙのプリペイドセンタでは、
残度数が０であれば収納結果として、「収納不可」の通知を前記第ｘのプリペイドセンタに送信し、残度数が残っていれば残度数を減算すると共に、収納結果を前記第ｘのプリペイドセンタに送信し、
前記第ｘのプリペイドセンタでは、前記第ｙのプリペイドセンタから「収納不可」の通知を取得した場合には、ネットワークに対して通信の切断を指示する
ことを特徴とするプリペイド管理方法。
【請求項３】
前記第１のプリペイドシステムは、ＩＣカード対応公衆電話システムに代表されるリーダ付き固定端末にＩＣカードを挿入して、ネットワークから利用時間に応じた周期課金で即時課金を行うプリペイドシステムであり、
前記第２のプリペイドシステムは、利用者が購入し、利用を開始するための認証用コードを記載した記録媒体を用いて利用する携帯電話機を用いるプリペイドシステムである
請求項１または２記載のプリペイド管理方法。
【請求項４】
第１のプリペイド方式で第１のネットワークから利用時間に応じて通信量の即時課金を行う第１のプリペイドシステムと、第２のプリペイド方式で第２のネットワークから利用時間に応じて通信量の即時課金を行う第２のプリペイドシステムとの間で、それぞれのプリペイドの価値情報を相互に利用可能とするプリペイドセンタが行うプリペイド管理システムであって、
２つのプリペイドシステムでの価値情報の相互利用登録の時に、
前記第１のプリペイドシステムの第１のプリペイドセンタは、
前記第１のプリペイドシステムのＩＤ（以下、第１のＩＤと記す）を受け取る手段と、
前記第１のＩＤに対応したプリペイドカードを認証する手段と、
前記第２のプリペイドシステムのＩＤ（以下、第２のＩＤと記す）を取得して、該第２のプリペイドシステムの第２のプリペイドセンタに、認証された前記第１のＩＤと該第２のＩＤを組とした登録要求を送信する手段と、
前記第２のプリペイドセンタから前記登録要求に対する「登録ＯＫ」の通知が返却された場合に、当該第１のプリペイドセンタが管理する第１のデータベースの前記第１のＩＤに対応するレコードに前記第２のＩＤを登録する手段と、からなる第１の利用登録手段を有し、
前記第２のプリペイドシステムの前記第２のプリペイドセンタは、
前記第１のプリペイドセンタからの前記登録要求に含まれる前記第２のＩＤが、当該第２のプリペイドセンタが管理する第２のデータベースに存在し、かつ、該第２のＩＤに対応する残度数が０でないことを確認する手段と、
前記第２のＩＤに対応する利用者に相互利用の問い合わせを行って、相互利用がＯＫであれば、前記第２のデータベースに該第２のＩＤに対応するレコードに前記第１のＩＤを登録する手段と、からなる第２の利用登録手段を有し、
前記第１のプリペイドシステム、あるいは、前記第２のプリペイドシステムを利用する時、
通信を行うプリペイドシステムのプリペイドセンタ（以下、第ｘのプリペイドセンタと記す）は、
接続前に、通信を行うプリペイドシステムのＩＤ（以下、第ｘのＩＤと記す）を受け取る手段と、
通信中に、前記第ｘのＩＤ対応の残度数を減算すると共に、残度数が０になったとき、該第ｘのＩＤ対応に登録されている相互利用可能なプリペイドシステムのＩＤ（以下、第ｙのＩＤと記す）を読み出して、該第ｘのＩＤと該第ｙのＩＤを用いて相互利用が可能なプリペイドシステムのプリペイドセンタ（以下、第ｙのプリペイドセンタ）に問い合わせを行う手段と、
前記第ｙのプリペイドセンタから「利用ＯＫ」の通知を取得した以降、通信料の課金タイミング時に、収納指示を前記第ｙのプリペイドセンタに対して送信する手段と、
前記第ｙのプリペイドセンタから「収納不可」の通知を取得した場合には、ネットワークに対して通信の切断を指示する手段と、からなる第１の利用手段を有し、
前記第ｙのプリペイドセンタは、
前記第ｘのプリペイドセンタからの問い合わせに対し、前記第ｙのＩＤで当該第ｙのプリペイドセンタが管理するデータベースの検索を行い、該データベースに存在する第ｙのＩＤに対応する前記第ｘのＩＤが登録されており、該第ｙのＩＤに対応する残度数が０でなければ、「利用ＯＫ」の通知を該第ｘのプリペイドセンタに送信する手段と、
前記第ｘのプリペイドセンタからの前記収容指示を取得した場合の残度数が０であれば収納結果として、「収納不可」の通知を該第ｘのプリペイドセンタに送信し、残度数が残っていれば残度数を減算すると共に、収納結果を該第ｘのプリペイドセンタに送信する手段と、からなる第２の利用手段を有する
ことを特徴とするプリペイド管理システム。
【請求項５】
第１のプリペイド方式で第１のネットワークから利用時間に応じて通信量の即時課金を行う第１のプリペイドシステムと、第２のプリペイド方式で第２のネットワークから利用時間に応じて通信量の即時課金を行う第２のプリペイドシステムと、該第１のプリペイドシステムのＩＤ（以下、第１のＩＤと記す）と該第２のプリペイドシステムのＩＤ（以下、第２のＩＤと記す）を対応させて管理する共用データベースを有するプリペイド共用センタのとの間で、それぞれのプリペイドの価値情報を相互に利用可能とするプリペイドセンタが行うプリペイド管理システムであって、
プリペイドシステムでの価値情報の相互利用登録の時に、
前記第１のプリペイドシステムの第１のプリペイドセンタは、
前記第１のプリペイドシステムの第１のＩＤを受け取る手段と、
前記第１のＩＤに対応したプリペイドカードを認証する手段と、
前記第２のプリペイドシステムのＩＤ（以下、第２のＩＤと記す）を取得して、前記プリペイド共用センタに、認証された前記第１のＩＤと該第２のＩＤを組とした登録要求を送信する手段と、
前記プリペイド共用センタから「登録ＯＫ」の通知が返却された場合に、当該第１のプリペイドセンタが管理する第１のデータベースの前記第１のＩＤに対応するレコードに前記第２のＩＤを登録する手段と、からなる第１の登録手段を有し、
前記第２のプリペイドシステムの前記第２のプリペイドセンタは、
前記プリペイド共用センタからのチェック要求の前記第２のＩＤに基づいて、当該第２のプリペイドセンタが管理する第２のデータベースを検索し、該第２のＩＤに対応する残度数が０でないことを確認し、前記プリペイド共用センタに「第２のＩＤチェックＯＫ」を送信する手段からなる第２の登録手段を有し、
前記プリペイド共用センタは、
前記第１のプリペイドセンタから取得した前記登録要求に含まれる前記第２のＩＤが、当該プリペイド共用センタが管理する前記共用データベースに存在するかを判定し、存在しない場合には、該第２のＩＤの検証を前記第２のプリペイドセンタに要求する手段と、
前記第２のプリペイドセンタから前記「第２のＩＤチェックＯＫ」の通知を取得すると、前記登録要求に含まれる前記第２のＩＤと前記第１のＩＤの組を前記共用データベースに登録し、前記第１のプリペイドセンタに「登録ＯＫ」の通知を送信する手段と、からなる第３の登録手段を有し、
前記第１のプリペイドシステム、あるいは、前記第２のプリペイドシステムを利用する時、
通信を行うプリペイドシステムのプリペイドセンタ（以下、第ｘのプリペイドセンタと記す）は、
接続前に、通信を行うプリペイドシステムのＩＤ（以下、第ｘのＩＤと記す）を受け取る手段と、
通信中に、前記第ｘのＩＤ対応の残度数を減算すると共に、残度数が０になったとき、該第ｘのＩＤ対応に登録されている相互利用可能なプリペイドシステムのＩＤ（以下、第ｙのＩＤと記す）を読み出して、該第ｘのＩＤと該第ｙのＩＤを用いて前記プリペイド共用センタに問い合わせを行う手段と、
前記第ｙのプリペイドセンタから「利用ＯＫ」の通知を取得した以降、通信料の課金タイミング時に、収納指示を前記第ｙのプリペイドセンタに対して送信する手段と、
前記第ｙのプリペイドセンタから「収納不可」の通知を取得した場合には、ネットワークに対して通信の切断を指示する手段と、からなる第１の利用手段を有し、
前記第ｙのプリペイドセンタは、
前記プリペイド共用センタから問い合わせを取得すると該問い合わせに含まれる第ｙのＩＤで、当該第ｙのプリペイドセンタが管理するデータベースの検索を行い、該データベースに存在する該第ｙのＩＤに対応する前記第ｘのＩＤが登録されており、該第ｙのＩＤに対応する残度数が０でなければ、「利用ＯＫ」の通知を該第ｘのプリペイドセンタに送信する手段と、
前記第ｘのプリペイドセンタから前記収納指示を取得した場合に、残度数が０であれば収納結果として、「収納不可」の通知を前記第ｘのプリペイドセンタに送信し、残度数が残っていれば残度数を減算すると共に、収納結果を前記第ｘのプリペイドセンタに送信する手段と、からなる第２の利用手段を有し、
前記プリペイド共用センタは、
前記第ｘのプリペイドセンタから問い合わせを取得すると、該問い合わせに含まれる前記第ｘのＩＤに基づいて、前記共用データベースを検索し、該第ｘのＩＤに対応する第ｙのＩＤを用いて第ｙのプリペイドセンタに問い合わせる手段と、からなる第３の利用手段を有することを特徴とするプリペイド管理システム。
【請求項６】
前記第１のプリペイドシステムは、ＩＣカード対応公衆電話システムに代表されるリーダ付き固定端末にＩＣカードを挿入して、ネットワークから利用時間に応じた周期課金で即時課金を行うプリペイドシステムであり、
前記第２のプリペイドシステムは、利用者が購入し、利用を開始するための認証用コードを記載した記録媒体を用いて利用する携帯電話機を用いるプリペイドシステムである
請求項４または５記載のプリペイド管理システム。
【発明の詳細な説明】
【０００１】
【発明の属する技術分野】
本発明は、プリペイドシステム管理方法及びプリペイド管理システム及びプリペイド管理プログラム及びプリペイド管理プログラムを格納した記憶媒体に係り、特に、プリペイド管理センタにおいてプリペイドシステムの価値情報を管理するためのプリペイドシステム管理方法及びプリペイド管理システム及びプリペイド管理プログラム及びプリペイド管理プログラムを格納した記憶媒体に関する。
【従来の技術】
従来は、特開平１０−３０４１０４に示されているように、プリペイドシステムの価値情報を、契約により利用者及び電話番号が特定される、固定電話や携帯電話のようなサービス利用後の後払いシステムに補填させたり、利用したりするようになっている。
【０００２】
また、特開２００１−１０３１９０に示されているように、公衆電話用プリペイドカードであるテレホンカードの残度数をプリペイド式携帯電話機の度数に補填するチャージ方法がある。これは、プリペイド携帯電話機の度数を補填するためにテレホンカードの度数を譲渡することで実現している。
【０００３】
【発明が解決しようとする課題】
しかしながら、従来の技術の方式は、必ず、何らかの契約型後払いサービスに加入していることが前提であり、従来からテレホンカードで行なわれている、電話料金への充当を電話局に行かなくても済むようにしたにすぎない。
【０００４】
また、プリペイド携帯電話の度数補填にテレホンカードを使用する方法では、テレホンカードの度数不足になったときに、プリペイド携帯電話の残度数を使用することができないという問題がある。
【０００５】
このように、従来の方式では、即時に課金しながら、料金不足時に異なるプリペイドシステムから即時に価値情報を引き落とすといった異なるプリペイドシステム間の価値情報の相互運用を行なうことができない。
【０００６】
本発明は、上記の点に鑑みなされたもので、プリペイドサービスの本来の目的である、匿名性の確保を行なうため、複数の価値情報管理方式のプリペイドシステムのそれぞれの価値情報を相互に利用可能とするプリペイド管理方法及びプリペイド管理システム及びプリペイド管理プログラム及びプリペイド管理プログラムを格納した記憶媒体を提供することを目的とする。
【０００７】
【課題を解決するための手段】
図１は、本発明の第１の原理を説明するための図である。
【０００８】
本発明（請求項１）は、第１のプリペイド方式で第１のネットワークから利用時間に応じて通信量の即時課金を行う第１のプリペイドシステムと、第２のプリペイド方式で第２のネットワークから利用時間に応じて通信量の即時課金を行う第２のプリペイドシステムとの間で、それぞれのプリペイドの価値情報を相互に利用可能とするプリペイドセンタが行うプリペイド管理方法において、
２つのプリペイドシステムでの価値情報の相互利用登録の時に、
第１のプリペイドシステムの第１のプリペイドセンタは、
第１のプリペイドシステムのＩＤ（以下、第１のＩＤと記す）を受け取り（ステップ１）、
第１のＩＤに対応したプリペイドカードを認証し（ステップ２）、
第２のプリペイドシステムのＩＤ（以下、第２のＩＤと記す）を取得して、該第２のプリペイドシステムの第２のプリペイドセンタに、認証された第１のＩＤと該第２のＩＤを組とした登録要求を送信し（ステップ３）、
第２のプリペイドシステムの第２のプリペイドセンタは、
第１のプリペイドセンタから登録要求に含まれる第２のＩＤが当該第２のプリペイドセンタが管理する第２のデータベースに存在し、かつ、該第２のＩＤに対応する残度数が０でないことを確認し（ステップ４）、
第２のＩＤに対応する利用者に相互利用の問い合わせを行って、相互利用がＯＫであれば、第２のデータベースに該第２のＩＤに対応するレコードに第１のＩＤを登録し（ステップ５）、
第１のプリペイドセンタは、
第２のプリペイドセンタから「登録ＯＫ」の通知が返却された場合に、当該第１のプリペイドセンタが管理する第１のデータベースの第１のＩＤに対応するレコードに第２のＩＤを登録し（ステップ６）、
第１のプリペイドシステム、あるいは、第２のプリペイドシステムを利用する時、
通信を行うプリペイドシステムのプリペイドセンタ（以下、第ｘのプリペイドセンタと記す）は、
接続前に、通信を行うプリペイドシステムのＩＤ（以下、第ｘのＩＤと記す）を受け取り（ステップ１１）、
通信中に、第ｘのＩＤ対応の残度数を減算すると共に、残度数が０になったとき、該第ｘのＩＤ対応に登録されている相互利用可能なプリペイドシステムのＩＤ（以下、第ｙのＩＤと記す）を読み出して、該第ｘのＩＤと該第ｙのＩＤを用いて相互利用が可能なプリペイドシステムのプリペイドセンタ（以下、第ｙのプリペイドセンタ）に問い合わせを行い（ステップ１２）、
第ｙのプリペイドセンタでは、第ｙのＩＤで当該第ｙのプリペイドセンタが管理するデータベースの検索を行い、該データベースに存在する第ｙのＩＤに対応する第ｘのＩＤが登録されており、第ｙのＩＤに対応する残度数が０でなければ、「利用ＯＫ」の通知を該第ｘのプリペイドセンタに送信し（ステップ１３）、
第ｘのプリペイドセンタでは、
それ以降の通信料の課金タイミング時に、収納指示を第ｙのプリペイドセンタに対して送信し（ステップ１４）、
第ｙのプリペイドセンタでは、残度数が０であれば収納結果として、「収納不可」の通知を第ｘのプリペイドセンタに送信し、残度数が残っていれば残度数を減算すると共に、収納結果を第ｘのプリペイドセンタに送信し（ステップ１５）、
第ｘのプリペイドセンタでは、第ｙのプリペイドセンタから「収納不可」の通知を取得した場合には、ネットワークに対して通信の切断を指示する（ステップ１６）。
【０００９】
図２は、本発明の第２の原理を説明するための図である。
【００１０】
本発明（請求項２）は、第１のプリペイド方式で第１のネットワークから利用時間に応じて通信量の即時課金を行う第１のプリペイドシステムと、第２のプリペイド方式で第２のネットワークから利用時間に応じて通信量の即時課金を行う第２のプリペイドシステムと、該第１のプリペイドシステムのＩＤ（以下、第１のＩＤと記す）と該第２のプリペイドシステムのＩＤ（以下、第２のＩＤと記す）を対応させて管理する共用データベースを有するプリペイド共用センタのとの間で、それぞれのプリペイドの価値情報を相互に利用可能とするプリペイドセンタが行うプリペイド管理方法において、
プリペイドシステムでの価値情報の相互利用登録の時に、
第１のプリペイドシステムの第１のプリペイドセンタは、
第１のプリペイドシステムの第１のＩＤを受け取り（ステップ２１）、
第１のＩＤに対応したプリペイドカードを認証し（ステップ２２）、
第２のプリペイドシステムのＩＤ（以下、第２のＩＤと記す）を取得して、プリペイド共用センタに、認証された第１のＩＤと該第２のＩＤを組とした登録要求を送信し（ステップ２３）、
プリペイド共用センタは、
第１のプリペイドセンタから登録要求に含まれる第２のＩＤが、共用データベースに存在するかを判定し、存在しない場合には、該第２のＩＤの検証を第２のプリペイドセンタに要求し（ステップ２４）、
第２のプリペイドセンタは、
第２のＩＤに基づいて、当該第２のプリペイドセンタが管理する第２のデータベースを検索し、該第２のＩＤに対応する残度数が０でないことを確認し、プリペイド共用センタに「第２のＩＤチェックＯＫ」を送信し（ステップ２５）、
プリペイド共用センタは、
第２のＩＤと第１のＩＤの組を、共用データベースに登録し、第１のプリペイドセンタに「登録ＯＫ」の通知を送信し（ステップ２６）、
第１のプリペイドセンタは、
プリペイド共用センタから「登録ＯＫ」の通知が返却された場合に、当該第１のプリペイドセンタが管理する第１のデータベースの第１のＩＤに対応するレコードに第２のＩＤを登録し（ステップ２７）、
第１のプリペイドシステム、あるいは、第２のプリペイドシステムを利用する時、
通信を行うプリペイドシステムのプリペイドセンタ（以下、第ｘのプリペイドセンタと記す）は、
接続前に、通信を行うプリペイドシステムのＩＤ（以下、第ｘのＩＤと記す）を受け取り（ステップ３１）、
通信中に、第ｘのＩＤ対応の残度数を減算すると共に、残度数が０になったとき、該第ｘのＩＤ対応に登録されている相互利用可能なプリペイドシステムのＩＤ（以下、第ｙのＩＤと記す）を読み出して、該第ｘのＩＤと該第ｙのＩＤを用いてプリペイド共用センタに問い合わせを行い（ステップ３２）、
プリペイド共用センタでは、
第ｘのＩＤに基づいて共用データベースを検索し、該第ｘのＩＤに対応する第ｙのＩＤを用いて第ｙのプリペイドセンタに問い合わせ（ステップ３３）、
第ｙのプリペイドセンタでは、
第ｙのＩＤで当該第ｙのプリペイドセンタが管理するデータベースの検索を行い、該データベースに存在する第ｙのＩＤに対応する第ｘのＩＤが登録されており、該第ｙのＩＤに対応する残度数が０でなければ、「利用ＯＫ」の通知を第ｘのプリペイドセンタに送信し（ステップ３４）、
第ｘのプリペイドセンタでは、
それ以降の通信料の課金タイミング時に、収納指示を第ｙのプリペイドセンタに対して送信し（ステップ３５）、
第ｙのプリペイドセンタでは、
残度数が０であれば収納結果として、「収納不可」の通知を第ｘのプリペイドセンタに送信し、残度数が残っていれば残度数を減算すると共に、収納結果を第ｘのプリペイドセンタに送信し（ステップ３６）、
第ｘのプリペイドセンタでは、第ｙのプリペイドセンタから「収納不可」の通知を取得した場合には、ネットワークに対して通信の切断を指示する（ステップ３７）。
【００１１】
本発明（請求項３）は、請求項１または２において、
第１のプリペイドシステムは、ＩＣカード対応公衆電話システムに代表されるリーダ付き固定端末にＩＣカードを挿入して、ネットワークから利用時間に応じた周期課金で即時課金を行うプリペイドシステムであり、
第２のプリペイドシステムは、利用者が購入し、利用を開始するための認証用コードを記載した記録媒体を用いて利用する携帯電話機を用いるプリペイドシステムである。
【００１２】
本発明（請求項４）は、第１のプリペイド方式で第１のネットワークから利用時間に応じて通信量の即時課金を行う第１のプリペイドシステムと、第２のプリペイド方式で第２のネットワークから利用時間に応じて通信量の即時課金を行う第２のプリペイドシステムとの間で、それぞれのプリペイドの価値情報を相互に利用可能とするプリペイドセンタが行うプリペイド管理システムであって、
２つのプリペイドシステムでの価値情報の相互利用登録の時に、
第１のプリペイドシステムの第１のプリペイドセンタは、
第１のプリペイドシステムのＩＤ（以下、第１のＩＤと記す）を受け取る手段と、
第１のＩＤに対応したプリペイドカードを認証する手段と、
第２のプリペイドシステムのＩＤ（以下、第２のＩＤと記す）を取得して、該第２のプリペイドシステムの第２のプリペイドセンタに、認証された第１のＩＤと該第２のＩＤを組とした登録要求を送信する手段と、
第２のプリペイドセンタから登録要求に対する「登録ＯＫ」の通知が返却された場合に、当該第１のプリペイドセンタが管理する第１のデータベースの第１のＩＤに対応するレコードに第２のＩＤを登録する手段と、からなる第１の利用登録手段を有し、
第２のプリペイドシステムの第２のプリペイドセンタは、
第１のプリペイドセンタからの登録要求に含まれる第２のＩＤが、当該第２のプリペイドセンタが管理する第２のデータベースに存在し、かつ、該第２のＩＤに対応する残度数が０でないことを確認する手段と、
第２のＩＤに対応する利用者に相互利用の問い合わせを行って、相互利用がＯＫであれば、第２のデータベースに該第２のＩＤに対応するレコードに第１のＩＤを登録する手段と、からなる第２の利用登録手段を有し、
第１のプリペイドシステム、あるいは、第２のプリペイドシステムを利用する時、
通信を行うプリペイドシステムのプリペイドセンタ（以下、第ｘのプリペイドセンタと記す）は、
接続前に、通信を行うプリペイドシステムのＩＤ（以下、第ｘのＩＤと記す）を受け取る手段と、
通信中に、第ｘのＩＤ対応の残度数を減算すると共に、残度数が０になったとき、該第ｘのＩＤ対応に登録されている相互利用可能なプリペイドシステムのＩＤ（以下、第ｙのＩＤと記す）を読み出して、該第ｘのＩＤと該第ｙのＩＤを用いて相互利用が可能なプリペイドシステムのプリペイドセンタ（以下、第ｙのプリペイドセンタ）に問い合わせを行う手段と、
第ｙのプリペイドセンタから「利用ＯＫ」の通知を取得した以降、通信料の課金タイミング時に、収納指示を第ｙのプリペイドセンタに対して送信する手段と、
第ｙのプリペイドセンタから「収納不可」の通知を取得した場合には、ネットワークに対して通信の切断を指示する手段と、からなる第１の利用手段を有し、
第ｙのプリペイドセンタは、
第ｘのプリペイドセンタからの問い合わせに対し、第ｙのＩＤで当該第ｙのプリペイドセンタが管理するデータベースの検索を行い、該データベースに存在する第ｙのＩＤに対応する第ｘのＩＤが登録されており、該第ｙのＩＤに対応する残度数が０でなければ、「利用ＯＫ」の通知を該第ｘのプリペイドセンタに送信する手段と、
第ｘのプリペイドセンタからの収容指示を取得した場合の残度数が０であれば収納結果として、「収納不可」の通知を該第ｘのプリペイドセンタに送信し、残度数が残っていれば残度数を減算すると共に、収納結果を該第ｘのプリペイドセンタに送信する手段と、からなる第２の利用手段を有する。
【００１３】
本発明（請求項５）は、第１のプリペイド方式で第１のネットワークから利用時間に応じて通信量の即時課金を行う第１のプリペイドシステムと、第２のプリペイド方式で第２のネットワークから利用時間に応じて通信量の即時課金を行う第２のプリペイドシステムと、該第１のプリペイドシステムのＩＤ（以下、第１のＩＤと記す）と該第２のプリペイドシステムのＩＤ（以下、第２のＩＤと記す）を対応させて管理する共用データベースを有するプリペイド共用センタのとの間で、それぞれのプリペイドの価値情報を相互に利用可能とするプリペイドセンタが行うプリペイド管理システムであって、
プリペイドシステムでの価値情報の相互利用登録の時に、
第１のプリペイドシステムの第１のプリペイドセンタは、
第１のプリペイドシステムの第１のＩＤを受け取る手段と、
第１のＩＤに対応したプリペイドカードを認証する手段と、
第２のプリペイドシステムのＩＤ（以下、第２のＩＤと記す）を取得して、プリペイド共用センタに、認証された第１のＩＤと該第２のＩＤを組とした登録要求を送信する手段と、
プリペイド共用センタから「登録ＯＫ」の通知が返却された場合に、当該第１のプリペイドセンタが管理する第１のデータベースの第１のＩＤに対応するレコードに第２のＩＤを登録する手段と、からなる第１の登録手段を有し、
第２のプリペイドシステムの第２のプリペイドセンタは、
プリペイド共用センタからのチェック要求の第２のＩＤに基づいて、当該第２のプリペイドセンタが管理する第２のデータベースを検索し、該第２のＩＤに対応する残度数が０でないことを確認し、プリペイド共用センタに「第２のＩＤチェックＯＫ」を送信する手段からなる第２の登録手段を有し、
プリペイド共用センタは、
第１のプリペイドセンタから取得した登録要求に含まれる第２のＩＤが、当該プリペイド共用センタが管理する共用データベースに存在するかを判定し、存在しない場合には、該第２のＩＤの検証を第２のプリペイドセンタに要求する手段と、
第２のプリペイドセンタから「第２のＩＤチェックＯＫ」の通知を取得すると、登録要求に含まれる第２のＩＤと第１のＩＤの組を共用データベースに登録し、第１のプリペイドセンタに「登録ＯＫ」の通知を送信する手段と、からなる第３の登録手段を有し、
第１のプリペイドシステム、あるいは、第２のプリペイドシステムを利用する時、
通信を行うプリペイドシステムのプリペイドセンタ（以下、第ｘのプリペイドセンタと記す）は、
接続前に、通信を行うプリペイドシステムのＩＤ（以下、第ｘのＩＤと記す）を受け取る手段と、
通信中に、第ｘのＩＤ対応の残度数を減算すると共に、残度数が０になったとき、該第ｘのＩＤ対応に登録されている相互利用可能なプリペイドシステムのＩＤ（以下、第ｙのＩＤと記す）を読み出して、該第ｘのＩＤと該第ｙのＩＤを用いてプリペイド共用センタに問い合わせを行う手段と、
第ｙのプリペイドセンタから「利用ＯＫ」の通知を取得した以降、通信料の課金タイミング時に、収納指示を第ｙのプリペイドセンタに対して送信する手段と、
第ｙのプリペイドセンタから「収納不可」の通知を取得した場合には、ネットワークに対して通信の切断を指示する手段と、からなる第１の利用手段を有し、
第ｙのプリペイドセンタは、
プリペイド共用センタから問い合わせを取得すると該問い合わせに含まれる第ｙのＩＤで、当該第ｙのプリペイドセンタが管理するデータベースの検索を行い、該データベースに存在する該第ｙのＩＤに対応する第ｘのＩＤが登録されており、該第ｙのＩＤに対応する残度数が０でなければ、「利用ＯＫ」の通知を該第ｘのプリペイドセンタに送信する手段と、
第ｘのプリペイドセンタから収納指示を取得した場合に、残度数が０であれば収納結果として、「収納不可」の通知を第ｘのプリペイドセンタに送信し、残度数が残っていれば残度数を減算すると共に、収納結果を第ｘのプリペイドセンタに送信する手段と、からなる第２の利用手段を有し、
プリペイド共用センタは、
第ｘのプリペイドセンタから問い合わせを取得すると、該問い合わせに含まれる第ｘのＩＤに基づいて、共用データベースを検索し、該第ｘのＩＤに対応する第ｙのＩＤを用いて第ｙのプリペイドセンタに問い合わせる手段と、からなる第３の利用手段を有する。
【００１４】
本発明（請求項６）は、請求項４または５において、第１のプリペイドシステムは、ＩＣカード対応公衆電話システムに代表されるリーダ付き固定端末にＩＣカードを挿入して、ネットワークから利用時間に応じた周期課金で即時課金を行うプリペイドシステムであり、
第２のプリペイドシステムは、利用者が購入し、利用を開始するための認証用コードを記載した記録媒体を用いて利用する携帯電話機を用いるプリペイドシステムである。
【００２７】
上記のように、本発明は、プリペイドサービスの本来の目的である匿名性の確保を行なうため、複数の価値情報管理方式のプリペイドシステムのそれぞれの価値情報を相互に利用可能とするため、それぞれのプリペイドシステムの価値情報管理データベースに、相互に価値情報を利用する相手プリペイドシステムの価値情報管理データベースを特定する情報及び、利用するＩＤを特定するための情報を１つのＩＤ毎に登録し、それぞれの相手プリペイドシステムとの通信手段を備え、相手プリペイドシステムに利用しようとするＩＤが存在するかの問い合わせ手段を有し、ＩＤが存在し、かつ取得した価値情報が０でなければ、その価値情報を、現在利用しているサービスに充当するものである。
【００２８】
これにより、カード媒体をサービスを受ける前に認証するプリペイドカードシステムとカード媒体表面記載のカード固有ＩＤをネットワークで特定できる端末で１回投入することで、以後、その特定端末でサービスが受けられるプリペイド型端末システムにおいて、相互に残度数が利用可能となる。
【００２９】
【発明の実施の形態】
［第１の実施の形態］
図３は、本発明の第１の実施の形態におけるシステム構成を示す。
【００３０】
同図に示すシステムは、２つのプリペイドシステム１００Ａ，１００Ｂを有する。
【００３１】
プリペイドシステム１００Ａは、ＩＣカード対応公衆電話システムのようにＩＣカード１３０をリーダ付固定端末１２０に挿入して、ネットワーク３００から利用時間に応じた周期課金で即時課金を行なうシステムである。
【００３２】
プリペイドシステム１００Ｂは、プリペイド携帯電話システムのように、利用を開始するためのコードを記載したスクラッチカード２３０を購入し、携帯電話機２２０から登録のための電話番号に接続し、スクラッチカード２３０の利用開始のためのコードを手入力し、そのコードが正しければ、プリペイドでの利用を開始し、通話時間に応じてセンタ側度数を減らしていくシステムである。
【００３３】
プリペイドシステム１００Ａとプリペイドシステム１００Ｂの間で、プリペイド価値情報を相互利用するため、プリペイドシステム１００ＡのＩＣカードプリペイドセンタ装置（以下、単にＩＣカードプリペイドセンタと記す）１４０のプリペイドカードＤＢ１１０には、カードＩＤ毎に以下の項目が格納される。
【００３４】
▲１▼  カードＩＤ
▲２▼  カード残度数
▲３▼  カード認証情報
▲４▼  カード内残度数
▲５▼  携帯端末ＩＤ
このうち、プリペイドシステム２００を相互利用対象として登録していない状態では、▲１▼〜▲４▼がプリペイドシステム１００の情報として格納されており、カードＩＤのカードが利用される毎にカード残度数が減算されていく。▲４▼のカード内残度数は、ＩＣテレホンカードのように、カード度数管理センタとカードの両方に残度数を持ち、利用時にセンタ側とカード側両方を減算していくタイプのプリペイドシステム場合に、カード残度数を減算しない方式のプリペイドシステムから利用されたとき、次にカードを利用したときに、カード内残度数を精算するために設けてある項目である。
【００３５】
次に、プリペイドシステム２００のプリペイド携帯管理ＤＢ２１０には、以下の項目が格納される。
【００３６】
▲１▼  携帯端末ＩＤ
▲２▼  携帯端末残度数
▲３▼  スクラッチカード認証情報
▲４▼  カードＩＤ
このうち、プリペイドシステム１００を相互利用対象として登録していない状態では、▲１▼〜▲３▼がプリペイドシステム２００の必須情報として格納されており、携帯端末ＩＤのプリペイド型携帯端末２２０が利用される毎に、携帯端末残度数を利用に応じて減算されていく。
【００３７】
次に、登録時のシーケンスと利用時のシーケンスについて説明する。
【００３８】
登録時のシーケンスの前提として、利用者がプリペイドシステム１００のＩＣカード１３０と、プリペイドシステム２００のプリペイド型携帯端末２２０を所持しており、プリペイドシステム２００で既にスクラッチカード２３０を購入し、プリペイド型携帯端末２２０からスクラッチカードＩＤと認証用コードを投入し、プリペイドシステム２００の対応する携帯ＩＤに携帯端末残度数が有効になっており、携帯端末として使用できる状態とする。
【００３９】
プリペイドシステム１００は、ＩＣテレホンカードのようにＩＣカード１３０を事前に購入しておけば、ＩＣカード対応公衆電話機のようにＩＣカードリーダ付端末１２０に差し込むだけで購入度数内の通信が可能となる。
【００４０】
利用者は、プリペイドシステム１００のＩＣカード１３０と、プリペイドシステム２００の携帯端末２２０を所持していてもそれぞれの対応するプリペイドシステムでそれぞれが利用できるだけであるので、相互に利用可能となるように、まず、登録を行なう。
【００４１】
図４は、本発明の第１の実施の形態における登録動作のシーケンスチャートである。
【００４２】
ステップ１０１）  利用者は、ＩＣカード対応公衆電話機に代表されるような、リーダ付固定端末１２０の設置場所に行き、プリペイドシステム１００用のＩＣカード１３０をリーダ付固定端末１２０に挿入する。
【００４３】
ステップ１０２）  リーダ付固定端末１２０では、挿入されたＩＣカード１３０が、プリペイドシステム１００、２００相互運用に使用できるカードかどうかを判断し、相互運用に使用できるカードであれば、備え付けの登録用のボタンを使用可能にし、ＩＣカードプリペイドセンタ１４０の登録番号へ発呼・接続し、カードＩＤを送信する。
【００４４】
なお、利用者が、登録用電話番号を手入力し、ＩＣカードプリペイドセンタ１４０の登録用電話番号へ発呼・接続後、ＩＣカードプリペイドセンタ１４０とＩＣカード１３０間で、カードＩＤの読み出しを行なってもよい。
【００４５】
ステップ１０３）  カードＩＤを得たＩＣカードプリペイドセンタ１４０は、ＩＣカードプリペイドセンタ１４０のプリペイドカードＤＢ１１０をカードＩＤで検索し、該当するカードＩＤが存在することを確認し、カード認証情報、カード残度数を読み出す。読み出したカード認証情報、カード残度数を読み出す。読み出したカード認証情報を使い、ＩＣカード１３０との間で当該ＩＣカード１３０がプリペイドシステム１００用に正しく発行されたものかの検証を行い、ＩＣカード認証が「ＯＫ」であれば、次のステップ１０４の処理に移行する。そうでなければ、リーダ付固定端末１２０にＩＣカード１３０が使用できない旨を通知し、処理を終了する。
【００４６】
ステップ１０４）  ＩＣカードプリペイドセンタ１４０は、リーダ付固定端末１２０経由で、利用するプリペイドシステム２００の携帯端末２２０の携帯ＩＤを利用者に入力させる。
【００４７】
ステップ１０５）  利用者は所持している携帯端末の携帯ＩＤをリーダ付固定端末のキーパッド等から入力し、ＩＣカードプリペイドセンタ１４０に携帯端末２２０の携帯ＩＤを送信する。
【００４８】
ステップ１０６）  携帯ＩＤを受信したＩＣカードプリペイドセンタ１４０は、相互運用を行なう相手プリペイドシステム２００のプリペイド携帯センタ装置（以下、プリペイド携帯センタと記す）２４０にカードＩＤと携帯ＩＤの組からなる登録要求を送信する。
【００４９】
ステップ１０７）  ＩＣカードプリペイドセンタ１４０から、カードＩＤと携帯ＩＤの組の登録要求を受信したプリペイド携帯センタ２４０は、登録要求に格納されている携帯ＩＤを取り出し、プリペイド携帯センタ２４０のプリペイド携帯管理ＤＢ２１０を検索し、送られてきた携帯ＩＤが存在する場合は、携帯残度数を取り出し、“０”でなければ、プリペイド携帯管理ＤＢ２１０の携帯ＩＤに対応するレコードのカードＩＤの項目に登録要求のカードＩＤを新規に登録し、登録「ＯＫ」をＩＣカードプリペイドセンタ１４０に送信する。このとき、既に、カードＩＤが登録されているときは、登録を行なわないで登録エラーをＩＣカードプリペイドセンタ１４０に送信する。
【００５０】
なお、プリペイド携帯センタ２４０では、該当する携帯ＩＤの携帯端末２２０に相互利用をするかどうかの問い合わせを行なって、利用者にその場で相互利用の判断を行なわせることもできる。
【００５１】
ステップ１０８）  プリペイド携帯センタ２４０から登録要求に対する結果が、登録「ＯＫ」であれば、ＩＣカードプリペイドセンタ１４０は、プリペイドカードＤＢ１１０のカードＩＤに対応するレコードの携帯ＩＤの項目へ携帯ＩＤを登録し、登録完了をリーダ付固定端末１２０に送信する。このとき、登録エラーであれば、携帯ＩＤを登録しないで登録エラーをリーダ付固定端末１２０に送信する。
【００５２】
ステップ１０９）  リーダ付固定端末１２０では、ＩＣカードプリペイドセンタ１４０から送られてきた登録結果を利用者にアナウンス、表示等で知らせる。また、ＩＣカード１３０に登録済フラグがある場合は、このフラグを「ＯＮ」にして、次に、リーダ付固定端末１２０で登録操作を行なおうとした場合に、センタアクセスすることなく、リーダ付固定端末１２０で既に登録済であることを利用者に知らせることができる。
【００５３】
次に、利用者がプリペイドシステム１００でＩＣカード１３０を利用したときの動作について説明する。
【００５４】
図５は、本発明の第１の実施の形態におけるＩＣカード利用時の動作のシーケンスチャートである。
【００５５】
ステップ２０１）  利用者は、ＩＣカード対応公衆電話機に代表されるような、リーダ付固定端末１２０の設置場所に行き、プリペイドシステム１００用のＩＣカード１３０をリーダ付固定端末１２０に挿入する。
【００５６】
ステップ２０２）  リーダ付固定端末１２０では、挿入されたＩＣカード１３０が、プリペイドシステム１００、２００相互運用に使用できるカードかどうかを判断し、相互運用に使用できるカードであれば、すでに登録済かどうかのチェックを行い、登録済であれば、備え付けの登録用のボタンを使用不可にし、通常の相手先電話番号入力待ちとなる。利用者が通話相手先の電話番号をリーダ付固定端末１２０のダイヤルから入力し、リーダ付固定端末１２０は、カードＩＤを付けてネットワーク３００に発呼する。
【００５７】
ステップ２０３）  ネットワーク３００は、リーダ付固定端末１２０からカードＩＤ付で発呼を受け付けたときは、相手電話番号に着信をかける前にカードＩＤを管理しているＩＣカードプリペイドセンタ１４０にカードＩＤを送付する。ステップ２０４）  カードＩＤを得たＩＣカードプリペイドセンタ１４０は、プリペイドカードＤＢ１１０をカードＩＤで検索し、該当するカードＩＤが存在することを確認し、カード認証情報、カード残度数を読み出す。読み出したカード認証情報を使い、ＩＣカード１３０との間で当該ＩＣカード１３０がプリペイドシステム１００用に正しく発行されたものかの検証を行い、ＩＣカード認証が「ＯＫ」であれば、次のステップ２０５に移行する。そうでなければ、リーダ付固定端末１２０にＩＣカード１３０が使用できない旨を通知し、処理を終了する。
【００５８】
ステップ２０５）  ネットワーク３００は、ＩＣカードプリペイドセンタ１４０とＩＣカード１３０間の認証が「ＯＫ」であれば、相手通話先に着信をかける。通話先相手が着信を受け付けると、リーダ付固定端末１２０と通話先相手端末とが通信中となり、利用者は、通話先相手と通信ができる。
【００５９】
ステップ２０６）  ＩＣカードプリペイドセンタ１４０は、通信中、リーダ付固定端末１２０に対して、通信時間に応じた自身の管理しているカード残度数を減算するとき、ＩＣカード残度数も減算するために、ネットワーク３００経由でリーダ付固定端末１２０に収納指示を出す。
【００６０】
ステップ２０７）  リーダ付固定端末１２０は、ネットワーク３００経由で送られる収納指示に対してＩＣカード内度数を減算し、ネットワーク３００経由でＩＣカードプリペイドセンタ１４０に収納結果を返す。
【００６１】
ステップ２０８）  ＩＣカードプリペイドセンタ１４０は、リーダ付固定端末１２０からの収納結果を受信すると、自身の管理しているカードＩＤ対応のカード残度数を減算する。このとき、当該カード残度数が“０”となったときは、カードＩＤ対応に登録されている携帯ＩＤを読み出し、プリペイド携帯センタ２４０に対して、カードＩＤ・携帯ＩＤのデータを付けて問い合わせを行なう。  ステップ２０９）  ＩＣカードプリペイドセンタ１４０からの問い合わせに対してプリペイド携帯センタ２４０は、問い合わせ結果として、携帯残度数を付けて「利用ＯＫ」を返送する。
【００６２】
ステップ２１０）  ＩＣカードプリペイドセンタ１４０は、プリペイド携帯センタ２４０から、携帯ＩＤに対応する携帯残度数が得られた場合、ネットワーク３００経由でリーダ付固定端末１２０に携帯度数通知を行なう。
【００６３】
ステップ２１１）  また、次の度数収納タイミングには、ＩＣカードプリペイドセンタ１４０は、収納指示をプリペイド携帯センタ２４０に対して送る。
【００６４】
ステップ２１２）  ＩＣカードプリペイドセンタ１４０は、プリペイド携帯センタ２４０から携帯度数が“０”でないという通知を取得した場合には、ネットワーク３００経由でリーダ付固定端末１２０に携帯度数通知を行い、リーダ付固定端末１２０は利用者に残度数の通知を行う。
【００６５】
ステップ２１３）  ＩＣカードプリペイドセンタ１４０から収納指示があったとき、プリペイド携帯センタ２４０では、携帯度数“０”のとき、または、携帯度数−収納度数がマイナスの場合、収納結果として「収納不可」を返送する。「収納不可」を受信したＩＣカードプリペイドセンタ１４０は、ネットワーク３００に通信の切断を指示し、リーダ付固定端末１２０の通信中の呼を切断する。
【００６６】
次に、プリペイド携帯システム２４０でプリペイド型携帯端末２２０を使用した場合の動作について説明する。
【００６７】
図６は、本発明の第１の実施の形態におけるプリペイド型形態端末利用時の動作のシーケンスチャートである。
【００６８】
ステップ３０１）  利用者は、プリペイドシステム２００用のプリペイド型携帯端末２２０を利用して、相手先番号に発呼する。
【００６９】
ステップ３０２）  携帯端末２２０からの発呼を受け付けたネットワーク３００は、プリペイド携帯センタ２４０に、該当する携帯ＩＤガ登録されているか確認する。プリペイド携帯センタ２４０では、ネットワーク３００からの携帯ＩＤ確認要求に対して、プリペイド携帯管理ＤＢ２１０を検索し、携帯ＩＤが存在すれば、携帯残度数があるかを確認し、ネットワーク３００に携帯残度数を通知する。
【００７０】
ステップ３０３）  ネットワーク３００は、携帯残度数の通知をプリペイド携帯センタ２４０から受け取ると、相手先番号への接続を行なう。相手が応答すれば、通信中となる。
【００７１】
ステップ３０４）  プリペイド携帯センタ２４０は、通信中、所定の感覚で所定度数を減算するが、携帯残度数が“０”になったとき、携帯ＩＤのレコードに登録されているカードＩＤと携帯ＩＤをつけてＩＣカードプリペイドセンタ１４０に問い合わせを行なう。
【００７２】
ステップ３０５）  プリペイド携帯センタ２４０からの問い合わせに対してＩＣカードプリペイドセンタ１４０では、送られてきたカードＩＤに対応するレコードに携帯ＩＤが登録済かをチェックし、登録済であれば、カード残度数が“０”でなければ、プリペイド携帯センタ２４０にカード残度数を付けて「利用ＯＫ」を返送する。
【００７３】
ステップ３０６）  プリペイド携帯センタ２４０は、ＩＣカードプリペイドセンタ１４０から送られてきたカード残度数が所定度数以上あれば、次の度数収納タイミング時にＩＣカードプリペイドセンタ１４０に対して収納指示を行う。
【００７４】
ステップ３０７）  ＩＣカードプリペイドセンタ１４０は、収納指示に含まれる収納度数をカードＩＤのカード残度数から減算し、収納結果を返送する。
【００７５】
ステップ３０８）  カード残度数が“０”または、カード残度数−収納度数がマイナスの場合、ＩＣカードプリペイドセンタ１４０は、ネットワーク３００に対して料金不足による切断を行なわせ、通信切断とする。
【００７６】
［第２の実施の形態］
図７は、本発明の第２の実施の形態におけるシステム構成を示す。
【００７７】
同図において、プリペイドシステム１００とプリペイドシステム２００は、前述の第１の実施の形態における構成と同様である。第１の実施の形態と異なるのは、プリペイド共用センタ４００を設け、当該プリペイド共用センタ４００に相互利用を行なうプリペイドシステム１００とプリペイドシステム２００のそれぞれカードＩＤ及び携帯ＩＤを結び付ける共用ＤＢ４１０を用意する。相互利用登録時は、プリペイド共用センタ４００に相互運用を行なうカードＩＤと携帯ＩＤのペアを登録する。プリペイドシステム１００とプリペイドシステム２００のそれぞれのプリペイドシステムでは、プリペイドカード毎に前述の▲１▼〜▲４▼の必須データ項目、プリペイド携帯毎に前述の▲１▼〜▲３▼の必須データ項目を従来技術と同様に用意すればはく、データベースの構造は従来の技術から変更することなく、プリペイド共用センタ４００との通信インタフェースプロトコル制御を追加するだけで相互利用が実現できる。
【００７８】
以下、登録時シーケンスと利用時のシーケンスについて説明する。
【００７９】
利用者は、プリペイドシステム１００のＩＣカード１３０と、プリペイドシステム２００のプリペイド型携帯端末（以下、携帯端末）２２０を所持しており、プリペイドシステム２００で既に、スクラッチカード２３０を購入し、携帯端末２２０からスクラッチカードＩＤと認証用コードを投入し、プリペイドシステム２００の対応する携帯ＩＤに携帯端末残度数が有効になっており、携帯端末として使用できる状態とする。プリペイドシステム１００は、ＩＣテレホンカードのようにＩＣカードを事前に購入しておけば、ＩＣカード対応公衆電話機のようにＩＣカードリーダ付固定端末１２０に差し込むだけで、購入度数内の通信が可能になる。
【００８０】
利用者は、プリペイドシステム１００のＩＣカード１３０と、プリペイドシステム２００の携帯端末２２０を所持していてもそれぞれの対応するプリペイドシステムでそれぞれが利用できるだけであるので、相互に利用可能となるように、まず登録を行なう。
【００８１】
図８は、本発明の第２の実施の形態における登録動作のシーケンスチャートである。
【００８２】
ステップ４０１）  利用者は、ＩＣカード対応公衆電話機に代表されるような、リーダ付固定端末１２０の設置場所に行き、プリペイドシステム１００用のＩＣカード１３０をリーダ付固定端末１２０に挿入する。
【００８３】
ステップ４０２）  リーダ付固定端末１２０では、挿入されたＩＣカード１３０が、プリペイドシステム相互運用に使用できるカードかどうかを判断し、相互運用に使用できるカードかどうかを判断し、相互運用に使用できるカードであれば、備え付けの登録用のボタンを使用可能にし、ＩＣカードプリペイドセンタ１４０の登録用番号へ発呼・接続し、カードＩＤを送信する。
【００８４】
なお、利用者が、登録用番号を手入力し、ＩＣカードプリペイドセンタ１４０の登録用番号へ発呼・接続後、ＩＣカードプリペイドセンタ１４０とＩＣカード１３０間で、カードＩＤの読み出しを行なってもよい。
【００８５】
ステップ４０３）  カードＩＤを得たＩＣカードプリペイドセンタ１４０は、当該ＩＣカードプリペイドセンタ１４０のデータベース１１０をカードＩＤで検索し、該当するカードＩＤが存在することを確認し、カード認証情報、カード残度数を読み出す。読み出したカード認証情報を使い、ＩＣカード１３０との間でＩＣカード１３０がプリペイドシステム１００用に正しく発行されたものかの検証を行い、ＩＣカード認証が「ＯＫ」であれば、次のステップ４０４に移行する。そうでなければ、リーダ付固定端末１２０にＩＣカード１３０が使用できない旨を通知し、処理を終了する。
【００８６】
ステップ４０４）  ＩＣカードプリペイドセンタ１４０は、リーダ付固定端末１２０経由で、利用するプリペイドシステム２００の携帯端末２２０の携帯ＩＤを利用者に入力させる。
【００８７】
ステップ４０５）  利用者は所持している携帯端末２２０の携帯ＩＤをリーダ付固定端末１２０のキーパッド等から入力し、ＩＣカードプリペイドセンタ１４０にプリペイド携帯の携帯ＩＤを送信する。
【００８８】
ステップ４０６）携帯ＩＤを受信したＩＣカードプリペイドセンタ１４０は、プリペイド共用センタ４００にカードＩＤと携帯ＩＤのペアからなる登録要求を送信する。
【００８９】
ステップ４０７）  ＩＣカードプリペイドセンタ１４０から、カードＩＤと携帯ＩＤのペアからなる登録要求を受信したプリペイド共用センタ４００は、登録要求に含まれる携帯ＩＤを取り出し、プリペイド共用センタ４００の共用ＤＢ４１０を検索し、送られてきた携帯ＩＤが存在する場合には、既に登録状態であるので、登録エラーをＩＣカードプリペイドセンタ１４０に送信する。共用ＤＢ４１０に送られてきた携帯ＩＤが存在しない場合には、プリペイド携帯センタ２４０に携帯ＩＤのチェックを要求する。プリペイド共用センタ４００からの携帯ＩＤチェック要求を受けたプリペイド携帯センタ２４０は、当該プリペイド携帯センタ２４０のプリペイド携帯管理ＤＢ２１０を検索し、送られてきた携帯ＩＤが存在する場合には、携帯残度数を取り出し、“０”でなければ、プリペイド共用センタ４００に「携帯ＩＤチェックＯＫ」を返送する。
【００９０】
ステップ４０８）  プリペイド共用センタ４００では、「携帯ＩＤチェックＯＫ」であれば、共用ＤＢ４１０に携帯ＩＤとカードＩＤのペアを登録し、ＩＣカードプリペイドセンタ１４０に「登録ＯＫ」を送信する。なお、プリペイド携帯センタ２４０では、該当する携帯ＩＤの携帯端末２２０に相互利用をするかどうかの問い合わせを行なって、利用者にその場で相互利用の判断を行なわせることもできる。
【００９１】
ステップ４０９）  プリペイド共用センタ４００から登録要求に対する結果が、「登録ＯＫ」であれば、ＩＣカードプリペイドセンタ１４０は、登録完了をリーダ付固定端末１２０に送信する。このとき、「登録エラー」であれば、登録エラーをリーダ付固定端末１２０に送信する。
【００９２】
ステップ４１０）  リーダ付固定端末１２０では、ＩＣカードプリペイドセンタ１４０から送られてきた登録結果を利用者にアナウンス、表示等で知らせる。また、ＩＣカード１３０に登録済フラグがある場合には、このフラグを「ＯＮ」にして、次にリーダ付固定端末１２０で登録操作を行なおうとした場合に、センタアクセスすることなく、リーダ付固定端末１２０ですでに、登録済であることを利用者に知らせることができる。
【００９３】
次に、プリペイドシステム１００でＩＣカード１３０を利用した場合について説明する。
【００９４】
図９は、本発明の第２の実施の形態におけるＩＣカード利用時のシーケンスチャートである。
【００９５】
ステップ５０１）  利用者は、ＩＣカード対応公衆電話機に代表されるような、リーダ付固定端末１２０が設置されている場所に行き、プリペイドシステム１００用のＩＣカード１３０を、リーダ付固定端末１２０に挿入する。
【００９６】
ステップ５０２）  リーダ付固定端末１２０では、挿入されたＩＣカード１３０が、プリペイドシステム１００、２００相互運用に使用できるカードかどうかを判断し、相互運用に使用できるカードであれば、既に登録済かどうかのチェックを行い、登録済であれば、備え付けの登録用のボタンを使用不可にし、通常の相手先電話番号の入力待ちとなる。利用者が通話相手先の電話番号をリーダ付固定端末１２０のダイヤルから入力し、リータ付固定端末１２０はカードＩＤをつけて、ネットワーク３００に発呼する。ネットワーク３００は、リーダ付固定端末１２０からカードＩＤ付で発呼を受け付けたときは、相手電話番号に着信をかける前にカードＩＤを管理しているＩＣカードプリペイドセンタ１４０にカードＩＤを送付する。
【００９７】
ステップ５０３）  カードＩＤを得たＩＣカードプリペイドセンタ１４０は、当該ＩＣカードプリペイドセンタ１４０のプリペイドカードＤＢ１１０をカードＩＤで検索し、該当するカードＩＤが存在することを確認し、カード認証情報、カード残度数を読み出す。読み出したカード認証情報を使い、ＩＣカード１３０との間でＩＣカード１３０がプリペイドシステム１００用に正しく発行されたものかの検証を行い、ＩＣカード認証が「ＯＫ」であれば、次のステップ５０４に移行する。そうでなければ、リーダ付固定端末１２０にＩＣカードが使用できない旨を通知し、処理を終了する。
【００９８】
ステップ５０４）  ネットワーク３００は、ＩＣカードプリペイドセンタ１４０とＩＣカード１３０間の認証が「ＯＫ」であれば、相手通信先に着信をかける。通信先相手が着信を受け付けると、リーダ付固定端末１２０と通話先相手端末とが通信中となり、利用者は、通話先相手と通信ができる。
【００９９】
ステップ５０５）  ＩＣカードプリペイドセンタ１４０は、通信中、リーダ付固定端末１２０に対して、通信時間に応じた自身の管理しているカード残度数を減算するとき、ＩＣカード内残度数も減算するために、ネットワーク３００経由でリーダ付固定端末１２０に収納指示を出す。
【０１００】
ステップ５０６）  リーダ付固定端末１２０は、ネットワーク３００経由で送られてくる収納指示に対して、ＩＣカード内度数を減算し、ネットワーク３００経由でＩＣカードプリペイドセンタ１４０に収納結果を返す。
【０１０１】
ステップ５０７）  リーダ付固定端末１２０から収納結果を受信したＩＣカードプリペイドセンタ１４０は、自身の管理しているカードＩＤ対応のカード残度数を減算する。このとき、当該カード残度数が“０”になったときは、カードＩＤ対応に登録されている携帯ＩＤを読み出し、プリペイド共用センタ４００に対して、カードＩＤのデータを付けて問い合わせを行なう。
【０１０２】
ステップ５０８）  ＩＣカードプリペイドセンタ１４０からの問い合わせに対して、プリペイド共用センタ４００は、ＩＣカードプリペイドセンタ１４０から送られてきたカードＩＤで共用ＤＢ４１０の検索を行い、共用ＤＢ４１０に存在するカードＩＤであれば、そのレコードに携帯ＩＤが登録されているかのチェックを行い、登録されていれば、プリペイド携帯センタ２４０に対して、そのレコードから読み出した携帯ＩＤを付けて問い合わせを行なう。
【０１０３】
ステップ５０９）  プリペイド共用センタ４００からの問い合わせに対して、プリペイド携帯センタ２４０では、携帯ＩＤに対応する携帯残度数が“０”でなければ、プリペイド共用センタ４００からの問い合わせの結果として、携帯残度数をつけて「利用ＯＫ」を返送する。
【０１０４】
ステップ５１０）  プリペイド携帯センタ２４０から「利用ＯＫ」を受信したプリペイド共用センタ４００は、ＩＣカードプリペイドセンタ１４０にプリペイド携帯センタ２４０の携帯残度数を付けて「利用ＯＫ」を返送す。
【０１０５】
ステップ５１１）  プリペイド共用センタ４００から携帯残度数が得られた場合、ネットワーク３００経由でリーダ付固定端末１２０に携帯度数通知を行なう。
【０１０６】
ステップ５１２）  ＩＣカードプリペイドセンタ１４０は、また、次の度数収納タイミングには、収納指示をプリペイド共用センタ４００に対して送り、その結果が正常であれば、ネットワーク３００経由でリーダ付固定端末１２０に携帯度数通知を行い、利用者に残度数の通知を行なう。
【０１０７】
ステップ５１３）  ＩＣカードプリペイドセンタ１４０からプリペイド共用センタ４００経由で収納指示があったとき、プリペイド携帯センタ２４０では、携帯度数“０”のとき、または、携帯度数−収納度数がマイナスの場合、収納結果として「収納不可」を返送する。「収納不可」を受信したＩＣカードプリペイドセンタ１４０は、ネットワークに通信の切断を指示し、リーダ付固定端末１２０の通信中の呼を切断する。
【０１０８】
次に、プリペイドシステム２００において、プリペイド型携帯端末２２０を利用した場合について説明する。
【０１０９】
図１０は、本発明の第２の実施の形態におけるプリペイド型携帯端末利用時の動作のシーケンスチャートである。
【０１１０】
ステップ６０１）  利用者は、プリペイドシステム２００用のプリペイド型携帯端末１２０を利用して相手先番号に発呼する。
【０１１１】
ステップ６０２）  携帯端末２２０から発呼を受けたネットワーク３００は、プリペイド携帯センタ２４０に、該当する携帯ＩＤが登録されているかを確認する。プリペイド携帯センタ２４０では、ネットワーク３００からの携帯ＩＤ確認に対して、プリペイド携帯管理ＤＢ２１０を検索し、携帯ＩＤが存在すれば、携帯残度数があるかを確認し、ネットワーク３００に携帯残度数を通知する。
【０１１２】
ステップ６０３）  携帯残度数の通知をプリペイド携帯センタ２４０から受けたネットワーク３００は、相手先番号への接続を行なう。相手が応答すれば通信中となる。
【０１１３】
ステップ６０４）  プリペイド携帯センタ２４０は、通信中、所定の間隔で所定度数を減算するが、携帯残度数が“０”になったとき、携帯ＩＤを付けてプリペイド共用センタ４００に問い合わせを行なう。
【０１１４】
ステップ６０５）  プリペイド携帯センタ２４０からの問い合わせに対して、プリペイド共用センタ４００では、送られてきた携帯ＩＤで共用ＤＢ４１０を検索し、携帯ＩＤが登録済かつ、そのレコードにカードＩＤが登録済かチェックし、登録済であれば、そのカードＩＤを付けてＩＣカードプリペイドセンタ１４０へ問い合わせを行い、カード残度数が“０”であれば、プリペイド携帯センタ２４０にカード残度数を付けて「利用ＯＫ」を返送する。
【０１１５】
ステップ６０６）  プリペイド携帯センタ２４０は、プリペイド共用センタ４００から送られてきたカード残度数が所定度数以上あれば、次の度数収納タイミング時にプリペイド共用センタ４００経由でＩＣカードプリペイドセンタ１４０に対して収納指示を行なう。
【０１１６】
ステップ６０７）  ＩＣカードプリペイドセンタ１４０では、収納指示に含まれる収納度数をカードＩＤのカード残度数から減算し、収納結果をプリペイド共用センタ４００経由でプリペイド携帯センタ２４０に返送する。
【０１１７】
ステップ６０８）  カード残度数が“０”または、カード残度数−収納度数がマイナスの場合、ＩＣカードプリペイドセンタ１４０は、収納結果に「収納不可」を入れて返送する。「収納不可」をプリペイド共用センタ４００経由で受けたプリペイドシステム２００は、ネットワーク３００に対して料金不足による切断を行なわせ、通信切断とする。
【０１１８】
また、上記の各プリペイドシステムのプリペイドセンタ、プリペイド共用センタ、各端末の動作をプログラムとして構築し、プリペイドセンタ、プリペイド共用センタ、各端末として利用されるコンピュータにインストールする、または、ネットワークを介して流通させることも可能である。
【０１１９】
また、構築されたプログラムを各プリペイドシステムのプリペイドセンタ、プリペイド共用センタ、各端末として利用されるコンピュータのハードディスクや、フロッピーディスク、ＣＤ−ＲＯＭ等の可搬記憶媒体に格納しておき、本発明を実施する際にインストールすることにより、容易に本発明を実現できる。
【０１２０】
なお、本発明は、上記の実施の形態に限定されることなく、特許請求の範囲内において、種々変更・応用が可能である。
【０１２１】
【発明の効果】
上述のように、本発明によれば、複数の異なる価値情報管理方式のプリペイドシステムを、カード認証を行なうタイプの価値情報管理方式のプリペイドをその一つに採用することで、他方の端末ＩＤに括り付けの価値情報管理方式のプリペイドシステムの価値情報を相互運用を行なうための登録作業を、カード認証を行なうタイプの認証機能を行なった後、単に、他方の端末ＩＤを入力することで容易に実現できる。
【０１２２】
また、プリペイドシステムを利用する場合も、料金の不足時に、もう一方のプリペイドシステムを利用していれば、そちらから自動的に不足分の補填を行なうことで、利便性が著しく向上する。
【図面の簡単な説明】
【図１】本発明の第１の原理を説明するための図である。
【図２】本発明の第２の原理を説明するための図である。
【図３】本発明の第１の実施の形態におけるシステム構成図である。
【図４】本発明の第１の実施の形態における登録動作のシーケンスチャートである。
【図５】本発明の第１の実施の形態におけるＩＣカード利用時の動作のシーケンスチャートである。
【図６】本発明の第１の実施の形態におけるプリペイド型携帯端末利用時の動作のシーケンスチャートである。
【図７】本発明の第２の実施の形態におけるシステム構成図である。
【図８】本発明の第２の実施の形態における登録動作のシーケンスチャートである。
【図９】本発明の第２の実施の形態におけるＩＣカード利用時のシーケンスチャートである。
【図１０】本発明の第２の実施の形態におけるプリペイド型携帯端末利用時の動作のシーケンスチャートである。
【符号の説明】
１００  プリペイドシステム
１１０  プリペイドカードＤＢ
１２０  リーダ付固定端末
１３０  ＩＣカード
１４０  ＩＣカードプリペイドセンタ
２００  プリペイドシステム
２１０  プリペイド携帯管理ＤＢ
２２０  プリペイド型携帯端末
２３０  スクラッチカード
２４０  プリペイド携帯センタ
３００  ネットワーク
４００  プリペイド共用センタ
４１０  共用ＤＢ
【図１】
0003855740.tif 000002
【図２】
0003855740.tif 000003
【図３】
0003855740.tif 000004
【図４】
0003855740.tif 000005
【図５】
0003855740.tif 000006
【図６】
0003855740.tif 000007
【図７】
0003855740.tif 000008
【図８】
0003855740.tif 000009
【図９】
0003855740.tif 000010
【図１０】
0003855740.tif 000011